(57)【要約】【課題】頬部からこめかみ部に対する覆い部の密着性を改善して着用性や機能性を一段と向上させ、しかも製造コストが低下し安価で量産性に優れたメガ立体マスクを提供する。【解決手段】覆い部２の先端条部では、上直線部６と中間輪郭形成部７とがなす角度、ならびに中間輪郭形成部７と下直線部８とがなす角度がそれぞれ１００度から１５５度の範囲となるように設定している。覆い部２の左右の後側部で、着用ゴム紐３が接合された接合部３ａ間から覆い部２の前側部に向けて切欠部５を形成している。覆い部２と鼻孔部との間に快適な空間を確保でき、覆い部２は上下対称となるので、上下いずれからも覆い部２を装着できる。装着時に覆い部２の後側部に皺などが寄らなくなり、頬部からこめかみ部にかけて覆い部２の密着性が高まり、顔面に対する覆い部２の良好な被覆性が得られて装着機能性が向上する。【選択図】図２
2006247046.tif 000002
【特許請求の範囲】
【請求項１】
熱可塑性プラスチックであるポリプロピレン繊維の集合体を熱融着で形成した不織布により設けたカップ状の覆い部と、
この覆い部の左右両後側部に超音波溶着により二点ずつ接合されて耳部や後頭部に掛ける着用ゴム紐とを備え、
前記覆い部の先端条部を上直線部、中間輪郭形成部および下直線部から構成し、前記上直線部と前記中間輪郭形成部とがなす角度、ならびに前記中間輪郭形成部と前記下直線部とがなす角度がそれぞれ１００度から１５５度の範囲となるように設定し、
前記覆い部の左右の後側部で、前記着用ゴム紐が接合された接合部の間から前記覆い部の前側部に向けて切欠部を形成したことを特徴とするメガ立体マスク。
【請求項２】
前記覆い部の前記中間輪郭形成部は、所定の曲率半径で円弧状をなしていることを特徴とする請求項１に記載のメガ立体マスク。
【請求項３】
前記覆い部の前記中間輪郭形成部は、ハート形をなしていることを特徴とする請求項１に記載のメガ立体マスク。
【請求項４】
前記覆い部の前記中間輪郭形成部は、鼻口部から鼻柱部に対応するように略Ｌ字形をなしていることを特徴とする請求項１に記載のメガ立体マスク。
【請求項５】
前記覆い部の前記中間輪郭形成部は、口唇部に対応するように切り込まれて上辺部と下辺部とを重ね合わせるように形成しており、前記上辺部を前記下辺部に対して捲り上げることにより前記口唇部を露呈させることを特徴とする請求項１に記載のメガ立体マスク。
【請求項６】
前記切欠部は、開口周縁部が略Ｕ字状をなしていることを特徴とする請求項１に記載のメガ立体マスク。
【請求項７】
前記切欠部は、開口周縁部が略放物線状をなしていることを特徴とする請求項１に記載のメガ立体マスク。
【請求項８】
前記切欠部は、開口周縁部が略Ｖ字状をなしていることを特徴とする請求項１に記載のメガ立体マスク。
【請求項９】
前記切欠部の開口周縁部は、超音波溶着により縁取りが施されていることを特徴とする請求項１ないし８のうち何れか一つに記載のメガ立体マスク。
【請求項１０】
ポリプロピレンの極細繊維の集合体を熱融着により形成したメルトブローン型不織布を前記不織布の外側に重ね合わせて細菌濾過性および粒子濾過性を付与したことを特徴とする請求項１に記載のメガ立体マスク。
【請求項１１】
前記メルトブローン型不織布の外側に、ポリプロピレンの短繊維の集合体からなる最外側不織布をさらに重ね合わせて防水性および撥水性を付与したことを特徴とする請求項１０に記載のメガ立体マスク。
【請求項１２】
前記最外側不織布の内側には、活性炭または抗菌剤を含む処理層が介在されていることを特徴とする請求項１１に記載のメガ立体マスク。
【発明の詳細な説明】
【技術分野】
【０００１】
本発明は、塵埃や細菌などの異物の混入を排除する衛生現場などで、関係者の口元を覆うために用いられる不織布製の使い捨てメガ立体マスクに関する。
【背景技術】
【０００２】
不織布製の衛生マスクは、病院では医師、歯科医師、看護師などが清潔感を考慮して頻繁に使用されている。また、半導体製造現場のクリーンルーム、食品加工工場および精密部品工場などでは従業者が口元を覆い、食品や機能部品などへの異物の混入を防ぐ手段として広範囲に着用されている。この種の衛生マスクは使い捨てマスクとして、伸縮性ウレタンゴムや不織布を打ち抜いて口元や鼻孔部を覆う覆い部と耳掛け部とを別体や一体に形成している（例えば特許文献１、２、３参照）。
【特許文献１】特開平９−１４９９４５号公報
【特許文献２】特開平９−１４９９４６号公報
【特許文献３】特開２００３−９３５２７号公報
【発明の開示】
【発明が解決しようとする課題】
【０００３】
特許文献１では、マスクの横方向の伸縮性を耳掛け部の伸縮性よりも低く設定し、耳掛け部が緊張状態になっても、マスクの覆い部が口元に密着しないようにしている。これにより、マスクの着用時に覆い部が左右に引っ張られても、息苦しさを感じないようになり、着用時の違和感が軽減されている。
特許文献２では、覆い部と耳掛け部とを別々に形成し、耳掛け部を垂れ下がり難くするとともに、生産後に重ね合わせたマスク同士が密着しないようにしている。特許文献３では、使用時に二重マスクの内側カバーを外側カバーに取り付ける操作を不要にし、通常の一重マスクと同様に極めて着用し易い二重マスクを実現している。
ところが、特許文献１、２、３のいずれのマスクも、頬部からこめかみ部に対する覆い部の密着性などについては検討されておらず、マスクの着用性や機能性において改善の余地が残されていた。
【０００４】
本発明は上記の事情を考慮してなされ、その目的は頬部からこめかみ部に対する覆い部の密着性を改善して着用性や機能性を一段と向上させ、しかも製造コストが低下し安価で量産性に優れたメガ立体マスクを提供することにある。
【課題を解決するための手段】
【０００５】
（請求項１について）
カップ状の覆い部は、熱可塑性プラスチックであるポリプロピレン繊維の集合体を熱融着で形成した不織布により設けられている。着用ゴム紐は、覆い部の左右両後側部に超音波溶着により二点ずつ接合されて耳部や後頭部に掛ける着用ゴム紐とを備えている。覆い部の先端条部は、上直線部、中間輪郭形成部および下直線部から構成されて、上直線部と中間輪郭形成部とがなす角度、ならびに中間輪郭形成部と下直線部とがなす角度がそれぞれ１００度から１５５度の範囲となるように設定している。覆い部の左右の後側部で、着用ゴム紐が接合された接合部の間から覆い部の前側部に向けて切欠部を形成している。
【０００６】
覆い部の先端条部には、上直線部と中間輪郭形成部とがなす角度、ならびに中間輪郭形成部と下直線部がなす角度がそれぞれ１００度から１５５度の範囲となるように設定しているので、覆い部の顔面に対する良好な装着性を保持しながらも、覆い部と鼻孔部との間に息苦しくない快適な空間を確保することができる。覆い部は上下対称の形状となるので、上下の区別がなく正逆いずれからも覆い部を装着することが可能となり便利である。
【０００７】
覆い部の左右の後側部に切欠部を形成しているので、装着時に覆い部の後側部に皺などが寄らなくなり、頬部からこめかみ部にかけて覆い部の密着性が高まり、顔面に対する覆い部の良好な被覆性が得られて装着機能性が向上する。
これらの有用な機能を付与しながらも、何ら新たな部材を付加せずに済み、製造コストが低下し安価で量産性に優れる。
【０００８】
（請求項２について）
覆い部の中間輪郭形成部は、所定の曲率半径で円弧状をなしているため、覆い部と鼻柱部との間に快適な空間が生じ、覆い部に対する鼻柱部の装着安定性が良好となる。
【０００９】
（請求項３について）
覆い部の中間輪郭形成部は、ハート形をなしているので、請求項２と同様に覆い部と鼻柱部との間に快適な空間が生じ、覆い部に対する鼻柱部の装着安定性が良好となる。
【００１０】
（請求項４について）
覆い部の中間輪郭形成部は、鼻口部から鼻柱部に対応するように略Ｌ字形をなしているので、請求項２と同様に覆い部と鼻柱部との間に快適な空間が生じ、覆い部に対する鼻柱部の装着安定性が良好となる。
【００１１】
（請求項５について）
覆い部の中間輪郭形成部は、口唇部に対応するように切り込まれて上辺部と下辺部とを重ね合わせるように形成しており、上辺部を下辺部に対して捲り上げることにより口唇部を露呈させる。このため、グラスの飲料水などをストローで吸う際、覆い部を外さなくとも上辺部を捲り上げることで済む便利さがある。
【００１２】
（請求項６〜８について）
切欠部は、開口周縁部が略Ｕ字状、略放物線状あるいは略Ｖ字状をなしており、使用者の好みに応じた多様なデザインに対処することができる。
【００１３】
（請求項９について）
切欠部の開口周縁部は、超音波溶着により縁取りが施されているため、切欠部の開口周縁部が形状保持機能を付与され、顔面に対する覆い部の装着機能性が一段と向上する。
【００１４】
（請求項１０について）
ポリプロピレンの極細繊維の集合体を熱融着により形成したメルトブローン（ＭＥＬＴ  ＢＬＯＷＮ）型不織布を不織布の外側に重ね合わせて細菌濾過性および粒子濾過性を付与している。このため、メガ立体マスクが、細菌濾過性および粒子濾過性を有する二層の形態となり、耐汚染性が向上して一層衛生的となる。
【００１５】
（請求項１１について）
メルトブローン型（ＭＥＬＴ  ＢＬＯＷＮ）不織布の外側に、ポリプロピレンの短繊維の集合体からなる最外側不織布をさらに重ね合わせて防水性および撥水性を付与している。このため、メガ立体マスクが、防水性および撥水性を有する三層の形態となり、耐汚染性がさらに向上して格段に衛生的となる。
【００１６】
（請求項１２について）
最外側不織布の内側には、活性炭または抗菌剤を含む処理層が介在されているため、覆い部に対する細菌類、微粉塵や微粒子などの異物の侵入が一段と阻まれて著しく衛生的になる。
【発明を実施するための最良の形態】
【００１７】
覆い部の先端条部には、上直線部と中間輪郭形成部とがなす角度、ならびに中間輪郭形成部と下直線部とがなす角度がそれぞれ１００度から１５５度の範囲となるように設定している。このため、覆い部の顔面に対する良好な装着性を保持しながらも、覆い部と鼻孔部との間に息苦しくない快適な空間を確保することができる。覆い部が上下対称の形状となり、上下の区別がなく正逆いずれからも覆い部を装着することが可能となる。覆い部の左右の後側部に切欠部を形成しているので、装着時に覆い部の後側部に皺などが寄らなくなって隙間が生じず顔面に対する密着性が高まって良好な被覆性が得られる。
【実施例１】
【００１８】
本発明の実施例１を図１および図２に基づいて説明する。
図１の（イ）は耳部４に着用ゴム紐３を引っ掛けて装着するメガ立体マスク１を示し、同図の（ハ）は着用ゴム紐３を後頭部に巻いて装着するメガ立体マスク１を示す。メガ立体マスク１のカップ状をなす覆い部２は、図１の（ロ）に示すように熱可塑性プラスチックであるポリプロピレン繊維の集合体を熱融着で形成した不織布２Ａをスパンボンドとして構成されている。覆い部２の先端条部は、上下方向に指向する熱融着部２ｂを形成し、メガ立体マスク１の着用時に口元や鼻孔部に対して非接触空間を設けて使用者に息苦しさを感じさせないようにしている。
【００１９】
着用ゴム紐３は、覆い部２における左右の外側部に超音波溶着により接合されている。超音波溶着は、溶接装置の溶接ロッド（図示せず）を着用ゴム紐３の左右の後端部にそれぞれ押し当てて二点で接合された接合部３ａを形成して行う。
【００２０】
覆い部２の左右の後側部で、着用ゴム紐３が接合された接合部３ａの間から覆い部２の前側部に向けて切欠部５を形成している。切欠部５の開口周縁部５ａは、略放物線状をなし超音波溶着により縁取りが施され、切欠部５の開口周縁部５ａに形状保持機能を付与し、顔面に対する覆い部２の装着機能性が一段と向上するようにしている。
【００２１】
図２の（イ）、（ロ）に示すように、覆い部２の先端条部を上直線部６、所定の曲率半径Ｒを有する円弧状の中間輪郭形成部７および下直線部８から構成して上下対称となるようにしている。上直線部６と中間輪郭形成部７とがなす角度（θ）、ならびに中間輪郭形成部７と下直線部８とがなす角度（θ）がそれぞれ１００度から１５５度の範囲となるように設定している。
【００２２】
この場合、一例として上直線部６および下直線部８の長さ寸法Ｍを２．５〜３ｃｍ、上直線部６と下直線部８との間の最大幅Ｎを１３．５〜１４．５ｃｍ、切欠部５と中間輪郭形成部７との最小幅Ｓを７〜８．５ｃｍ、二カ所の接合部３ａ間の距離Ｐを４〜５ｃｍ、接合部３ａと覆い部２の後側端２ａとの間の距離Ｑを０．４〜０．８ｃｍとしている。
【００２３】
上記構成の覆い部２の先端条部において、上直線部６、中間輪郭形成部７、下直線部８との間に、角度（θ）の関係を、それぞれ１００度から１５５度の範囲となるように設定したので、覆い部２の顔面に対する良好な装着性を保持しながらも、覆い部２と鼻孔部との間に息苦しくない快適な空間を確保することができる。覆い部２は上下対称の形状となるので、上下の区別がなくなり、正逆いずれからもメガ立体マスク１を装着できて便利である。
【００２４】
覆い部２の後側部に切欠部５を形成しているので、装着時に覆い部２の後側部に皺などが寄らなくなり、頬部からこめかみ部にかけて覆い部２の密着性が高まり、顔面に対する覆い部２の良好な被覆性が得られて装着機能性が向上する。これらの有用な機能を付与しながらも、何ら新たな部材を付加せずに済み、製造コストが低下し安価で量産性に優れる。
【実施例２】
【００２５】
図３は本発明の実施例２を示す。実施例２では、図３の（イ）に示す覆い部２において、ポリプロピレンの極細繊維の集合体を熱融着により形成したメルトブローン（ＭＥＬＴ  ＢＬＯＷＮ）型不織布１０を不織布２Ａの外側に重ね合わせて細菌濾過性および粒子濾過性を付与している｛同図の（ロ）参照｝。このため、メガ立体マスク１が、細菌濾過性および粒子濾過性を有する二層の形態となり、耐汚染性が向上して一層衛生的となる。
【実施例３】
【００２６】
図４は本発明の実施例３を示す。実施例３では、図４の（イ）に示す覆い部２において、メルトブローン型不織布１０の外側に、ポリプロピレンの短繊維の集合体からなる最外側不織布１１をスパンボンドとしてさらに重ね合わせて防水性および撥水性を付与している｛同図の（ロ）参照｝。これにより、メガ立体マスク１が、防水性および撥水性を有する三層の形態となり、耐汚染性がさらに向上して格段に衛生的となる。
【実施例４】
【００２７】
図５は本発明の実施例４を示す。実施例４が実施例３と異なるところは、図５の（イ）に示す覆い部２において、活性炭および抗菌剤を含む処理層１２をメルトブローン型不織布１０と最外側不織布１１との間に介在させたことである。これにより、覆い部２が四層をなし、覆い部２に対する細菌類、微粉塵や微粒子などの異物の侵入が一段と阻まれて衛生的に著しく優れたものになる。
【実施例５】
【００２８】
図６は本発明の実施例５を示す。実施例５では、覆い部２の左右端部側を薄肉の多孔性不織布１３により形成している。不織布２Ａと多孔性不織布１３との繋ぎ目１４は、折り重ねた重複部１３ａを熱融着している。薄肉の多孔性不織布１３は、顔面の頬部に相当する位置にありながらも、通気性が良く柔らかいため頬部を擦らないし蒸らすこともない。
【実施例６】
【００２９】
図７は本発明の実施例６を示す。実施例６が実施例１と異なるところは、覆い部２の先端条部の形状をハート形に形成した点である。このため、覆い部２の中間輪郭形成部７もハート形をなし、覆い部２と鼻柱部との間に快適な空間が生じ、鼻柱部に対する覆い部２の装着安定性が良好となる。
【実施例７】
【００３０】
図８は本発明の実施例７を示す。実施例７が実施例１と異なるところは、覆い部２の先端条部の形状を鼻口部から鼻柱部に対応するように略Ｌ字形に形成したことである。このため、覆い部２の中間輪郭形成部７も略Ｌ字形をなし、実施例６と同様に覆い部２と鼻柱部との間に快適な空間が生じ、鼻柱部に対する覆い部２の装着安定性が良好となる。
【実施例８】
【００３１】
図９は本発明の実施例８を示す。実施例８が実施例１と異なるところは、図９の（イ）に示すように、覆い部２の中間輪郭形成部７が口唇部に対応するように切り込まれて上辺部２Ｕと下辺部２Ｄとを重なり合うように形成していることである。
この場合、上辺部２Ｕを下辺部２Ｄに対して捲り上げることにより口唇部を露呈させることができる。このため、同図の（ロ）に示すように、グラスＧの飲料水などをストローＷなどで吸う際、覆い部２を外さなくとも上辺部２Ｕを捲り上げることで済む便利さがある。
【００３２】
（変形例）
（ａ）覆い部２における切欠部５の開口周縁部は、図１０の（イ）、（ロ）に示すように、略Ｕ字状や略Ｖ字状であってもよいし、図１１の（イ）、（ロ）に示すように、丸みを帯びたＷ字状や奥部が三山に起伏する形状であってもよい。
（ｂ）切欠部５の開口周縁部は、図１２の（イ）、（ロ）に示すように、奥部が二山に起伏する形状や鋭角的なＷ字状であってもよいし、図１３の（イ）、（ロ）に示すように、奥部が椀底状や鍋底状であってもよい。
（ｃ）切欠部５の開口周縁部は、図１４の（イ）、（ロ）に示すように、奥部中央が砲弾状をなす形状や上げ底状であってもよいし、図１５の（イ）、（ロ）に示すように、奥部が略台形であってもよいし、略Ｓ字状であってもよい。
【００３３】
（ｄ）メガ立体マスク１は使用後に廃棄されるものであるが、軽作業の衛生現場や個人的使用などにあっては、メガ立体マスク１を繰り返し使用しても差し支えない。
切欠部５の開口周縁部の形状については、上記の変形例に限らず使用者の好みや流行などに応じて多様なデザインに変更してもよい。
【図面の簡単な説明】
【００３４】
【図１】（イ）は着用状態を示すメガ立体マスクの斜視図、（ロ）は（イ）のｍ−ｍ線に沿う拡大部分縦断面図、（ハ）は着用ゴム紐を後頭部に掛ける場合を示すメガ立体マスクの斜視図である（実施例１）。
【図２】（イ）、（ロ）は形状や寸法関係を説明するために示すメガ立体マスクの側面図である（実施例１）。
【図３】（イ）は着用状態を示すメガ立体マスクの斜視図であり、（ロ）は（イ）のＡ−Ａ線に沿う拡大部分縦断面図である（実施例２）。
【図４】（イ）は着用状態を示すメガ立体マスクの斜視図であり、（ロ）は（イ）のＢ−Ｂ線に沿う拡大部分縦断面図である（実施例３）。
【図５】（イ）は着用状態を示すメガ立体マスクの斜視図であり、（ロ）は（イ）のＣ−Ｃ線に沿う拡大部分縦断面図である（実施例４）。
【図６】メガ立体マスクの斜視図である（実施例５）。
【図７】メガ立体マスクの側面図である（実施例６）。
【図８】メガ立体マスクの側面図である（実施例７）。
【図９】（イ）はメガ立体マスクの側面図であり、（ロ）はメガ立体マスクの作用を示す側面図である（実施例８）。
【図１０】（イ）、（ロ）は切欠部の形状を示す側面図である（変形例）。
【図１１】（イ）、（ロ）は切欠部の形状を示す側面図である（変形例）。
【図１２】（イ）、（ロ）は切欠部の形状を示す側面図である（変形例）。
【図１３】（イ）、（ロ）は切欠部の形状を示す側面図である（変形例）。
【図１４】（イ）、（ロ）は切欠部の形状を示す側面図である（変形例）。
【図１５】（イ）、（ロ）は切欠部の形状を示す側面図である（変形例）。
【符号の説明】
【００３５】
１    メガ立体マスク
２    覆い部
２Ｕ  上辺部
２Ｄ  下辺部
２Ａ  不織布
３    着用ゴム紐
３ａ  接合部
４    耳部
５    切欠部
５ａ  切欠部の開口周縁部
６    上直線部
７    中間輪郭形成部
８    下直線部
１０  メルトブローン（ＭＥＬＴ  ＢＬＯＷＮ）型不織布
１１  最外側不織布
１２  処理層
【図１】
2006247046.tif 000003
【図２】
2006247046.tif 000004
【図３】
2006247046.tif 000005
【図４】
2006247046.tif 000006
【図５】
2006247046.tif 000007
【図６】
2006247046.tif 000008
【図７】
2006247046.tif 000009
【図８】
2006247046.tif 000010
【図９】
2006247046.tif 000011
【図１０】
2006247046.tif 000012
【図１１】
2006247046.tif 000013
【図１２】
2006247046.tif 000014
【図１３】
2006247046.tif 000015
【図１４】
2006247046.tif 000016
【図１５】
2006247046.tif 000017